(57)【要約】【課題】出力した検針票の重なりを簡単に判別すること。【解決手段】連続サーマル用紙からなるハンディターミナル用紙１にミシン目３を介して複数の検針票２，２，…を切り離し可能に連接し、少なくとも隣り合う検針票２，２の異なる対応箇所に抜き孔部４，４を形成する。これにより、例えば出力した検針票２ａ，２ｂが重なり合ったときには、上にある検針票２ｂの抜き孔部４ｂが下にある検針票２ａによって塞がれて見えなくなり、検針票２，２が重なっている状態を目視で判別することができる。【選択図】図１
0003128974.tif 000002
【実用新案登録請求の範囲】
【請求項１】
ハンディターミナルプリンタで印字可能なハンディターミナル用紙であって、この用紙は複数の帳票を切り離し可能に連接した連続用紙からなり、少なくとも隣り合う帳票について異なる対応箇所に抜き孔部が設けられていることを特徴とするハンディターミナル用紙。
【請求項２】
ハンディターミナルプリンタで印字可能なハンディターミナル用紙であって、この用紙は複数の帳票を切り離し可能に連接した連続サーマル用紙からなり、少なくとも隣り合う帳票について異なる対応箇所に抜き孔部が設けられていることを特徴とするハンディターミナル用紙。
【請求項３】
ハンディターミナルプリンタで印字可能なハンディターミナル用紙であって、この用紙は複数の検針票を切り離し可能に連接した連続用紙からなり、少なくとも隣り合う検針票について異なる対応箇所に抜き孔部が設けられていることを特徴とするハンディターミナル用紙。
【請求項４】
ハンディターミナルプリンタで印字可能なハンディターミナル用紙であって、この用紙は複数の検針票を切り離し可能に連接した連続サーマル用紙からなり、少なくとも隣り合う検針票について異なる対応箇所に抜き孔部が設けられていることを特徴とするハンディターミナル用紙。
【考案の詳細な説明】
【技術分野】
【０００１】
本考案はハンディターミナルプリンタで使用されるハンディターミナル用紙に関する。
【背景技術】
【０００２】
従来、例えば電気やガス、水道等の検針システムでは、検針員が顧客の家庭を一軒一軒巡回してメーターの数値を読み取り、その結果をハンディターミナルプリンタで専用の用紙に印字している。図３に示すように、従来のハンディターミナル用紙１０としては主にサーマル紙が使用されており、サーマル紙に必要事項をあらかじめ印刷した複数の検針票１１，１１，…が切り取り用のミシン目１２を介して連接されている。そして、検針員はハンディターミナルプリンタを使用して顧客名、住所、使用量、請求予定金額等の情報１３を検針票１１に印字して出力した後、ミシン目１２で切り離した検針票１１を各家庭のポストに投函して検針結果を通知するようにしている。
【０００３】
ところが、従来のハンディターミナル用紙１０によるとすべての検針票１１が全く同じ形態であり、印字した情報１３以外には区別するところがない。このため、検針員が検針票１１を投函する際、図４に示すようにまとめて出力した検針票１１が２枚重なっていた場合でもそのことに気付きにくく、一つの家庭に検針票１１を誤って２枚一緒に配ってしまうという誤配が起こっていた。このような誤配が起こると、検針票１１に印字された情報１３が他の顧客に知られてしまうだけでなく、その検針票１１を安易に捨てられたり悪意で利用されたりすれば、そこから顧客の個人情報が外部に流出する危険性もあった。
【０００４】
なお、下記の特許文献１には、集積された複数枚の帳票が適正に揃っているかどうかを確認できるようにした発明が開示されている。この発明においては、複数枚の帳票の各々に透明な赤外線ステルスインキで印刷した識別コードを設けることにより、赤外線を発する識別コードを読取装置で読み取って判別するようになっている。しかし、この発明によると高価な赤外線ステルスインキを帳票一枚一枚に印刷しなければならず、しかも判別のための専用の読取装置を用意する必要があることから、運用コストが高くなってしまうという問題がある。
【０００５】
【特許文献１】特開２０００−２４６１８３号公報
【考案の開示】
【考案が解決しようとする課題】
【０００６】
本考案は上述した問題をなるべくコストを掛けずに解決したものであり、ハンディターミナルプリンタで印字可能なハンディターミナル用紙において、出力した帳票が重なり合っている状態を目視で簡単に判別できるようにすることを目的とする。
【課題を解決するための手段】
【０００７】
上記の目的を達成するため、本考案の一構成例は、ハンディターミナルプリンタで印字可能なハンディターミナル用紙であって、この用紙は複数の帳票を切り離し可能に連接した連続用紙からなり、少なくとも隣り合う帳票について異なる対応箇所に抜き孔部が設けられていることを特徴とする。抜き孔部は異なる対応箇所に設けられていればその形状は特に限定されず、各帳票について同じ形状であってもよく、異なる形状であってもよい。
【０００８】
上記の構成において、使用する用紙はハンディターミナルプリンタの印字方式に適合したものであればよい。例えばハンディターミナルプリンタがサーマル印字方式であれば、用紙としてはサーマル紙を使用する。すなわち、本考案の他の構成例は、ハンディターミナルプリンタで印字可能なハンディターミナル用紙であって、この用紙は複数の帳票を切り離し可能に連接した連続サーマル用紙からなり、少なくとも隣り合う帳票について異なる対応箇所に抜き孔部が設けられていることを特徴とする。
【０００９】
上記の構成において、帳票の用途としては従来技術で説明したような検針票が好適である。すなわち、本考案の他の構成例は、ハンディターミナルプリンタで印字可能なハンディターミナル用紙であって、この用紙は複数の検針票を切り離し可能に連接した連続用紙からなり、少なくとも隣り合う検針票について異なる対応箇所に抜き孔部が設けられていることを特徴とする。また、本考案の他の構成例は、ハンディターミナルプリンタで印字可能なハンディターミナル用紙であって、この用紙は複数の検針票を切り離し可能に連接した連続サーマル用紙からなり、少なくとも隣り合う検針票について異なる対応箇所に抜き孔部が設けられていることを特徴とする。
【考案の効果】
【００１０】
本考案のハンディターミナル用紙によれば、少なくとも隣り合う帳票について互いに異なる対応箇所に抜き孔部が設けられているため、出力した帳票が重なり合っている場合には、上にある帳票の抜き孔部が下にある帳票によって塞がれて見えなくなり、帳票の重なりを目視で判別することができる。したがって、例えば検針票に適用した場合には、検針員による誤配が防止され、その結果、検針票に印字された顧客の個人情報を確実に保護することができる。また、一つ一つの帳票に抜き孔部を設けるだけの簡単な加工で製造できるので汎用性が高く、しかも重なりを判別するための専用の装置も必要ないので低コストで運用できるという効果がある。
【考案を実施するための最良の形態】
【００１１】
以下、本考案の実施の形態について、図面を参照しながら説明する。
【００１２】
図１は本考案のハンディターミナル用紙の一構成例を示すものである。同図に示すように、本実施形態のハンディターミナル用紙１は、従来技術で説明したものと同様に、電気の検針システムにおいて、ハンディターミナルプリンタで印字した検針結果を通知するためのものである。このハンディターミナル用紙１は用紙の表面にサーマル層を塗工したサーマル紙により構成されている。サーマル層は無色のロイコ染料（電子供与体）と酸性物質（電子受容体）を固体微粒子として樹脂バインダ中に分散させたもので、ハンディターミナルプリンタのサーマルヘッドで加熱することにより発色して印字が行なわれる。
【００１３】
ハンディターミナル用紙１は長手方向に沿って複数ページの帳票２，２，…を連接した長尺の連続サーマル用紙である。各ページの帳票２，２，…はそれぞれ個別の検針票になっており、検針票２にはあらかじめ表題や記入欄等の必要事項が耐熱性の紫外線硬化型インキで印刷されている。また、連続サーマル用紙の裏面には各ページの検針票２，２，…ごとにタイミングマーク（図示略）が設けられており、ハンディターミナルプリンタはそのタイミングマークを検知してハンディターミナル用紙１の紙送り量を制御し、印字時の位置決めを行なう。なお、各ページの境界には検針票２の切り離しを容易にするために切り取り用のミシン目３，３，…が形成されているが、このミシン目３は必ずしも必要ではなく、ハンディターミナルプリンタに設置されたカッタで個々の検針票２を切り離すようにしてもよい。
【００１４】
さらに、このハンディターミナル用紙１は、切り離した後の検針票２の重なりを目視で判別できるようにしたことが特徴である。検針票２の重なりは隣り合う検針票２，２を連続して出力したときに起こり得ることから、少なくとも隣り合う検針票２，２について互いに異なる対応箇所に抜き孔部４を設けるようにした。その一例として、本実施形態では奇数ページ（Ｐ１，３，…）については検針票２の下端左側を略半円形に切り抜いた抜き孔部４が設けられ、偶数ページ（Ｐ２，４，…）については反対に検針票２の下端右側を同じ形状に切り抜いた抜き孔部４が設けられている。この抜き孔部４は少なくとも隣り合うページの異なる対応箇所に設けられていればその形状は特に限定されない。また、それぞれの検針票２，２，…についてすべての抜き孔部４が同じ形状であってもよく、異なる形状であってもよい。
【００１５】
以上が本実施形態のハンディターミナル用紙の構成であるが、以下その使用方法について説明する。
【００１６】
検針員は顧客の家庭を一軒一軒巡回してメーターの数値を読み取り、その結果をハンディターミナルプリンタでこのハンディターミナル用紙１に出力する。具体的には各検針票２の記入欄にそれぞれ顧客名、住所、使用量、請求予定金額等の情報５を印字して出力し、その後、ミシン目３で切り離した検針票２を各家庭のポストに投函して検針結果を通知する。そして、このハンディターミナル用紙１によれば、印字して切り離した後の検針票２のサイズはどれも同じであるが、奇数ページと偶数ページとで抜き孔部４の形成箇所が異なるため、検針票２の重なりを判別できるようになっている。
【００１７】
図２は出力した検針票が重なり合った状態を示すものである。同図に示すように、検針員が検針票２をまとめて出力したとき、例えば１ページ目の検針票２ａの上に２ページ目の検針票２ｂが重なり合っていた場合には、２ページ目の検針票２ｂの抜き孔部４ｂが１ページ目の検針票２ａによって塞がれて見えなくなることがわかる。また、検針票２が２枚以上重なっていた場合にも同様に、上に重なった検針票２の抜き孔部４は下にある検針票２によって塞がれて見えなくなる。
【００１８】
このように出力した検針票２の抜き孔部４が塞がっていれば、これを見た検針員に注意を喚起することになり、検針員は検針票２，２が複数枚重なっていることを目視で簡単に判別することが可能になる。したがって、このハンディターミナル用紙１を使用すれば、検針員が一つの家庭に検針票２を誤って２枚以上まとめて配ってしまうといった誤配を防止することができる。その結果、検針票２に印字された情報５が他の顧客に漏れることがなくなり、顧客の個人情報を確実に保護することができる。
【００１９】
なお、上述した実施形態のハンディターミナル用紙１は連続サーマル用紙で構成されているが、基となる用紙はハンディターミナルプリンタの印字方式に適合した専用の連続用紙を使用すればよい。また、ハンディターミナル用紙１に検針票２を印字する例を挙げて説明したが、本考案はそれ以外の様々な用途の帳票に適用することが可能である。
【図面の簡単な説明】
【００２０】
【図１】本考案のハンディターミナル用紙の一構成例を示す図。
【図２】本考案のハンディターミナル用紙で出力した検針票が重なり合った状態を示す図。
【図３】従来のハンディターミナル用紙の構成例を示す図。
【図４】従来のハンディターミナル用紙で出力した検針票が重なり合った状態を示す図。
【符号の説明】
【００２１】
１  ハンディターミナル用紙
２  帳票（検針票）
３  ミシン目
４  抜き孔部
５  情報
【図１】
0003128974.tif 000003
【図２】
0003128974.tif 000004
【図３】
0003128974.tif 000005
【図４】
0003128974.tif 000006